(57)【要約】【課題】壁パネルの開口部に内側サッシと外側サッシの二重サッシを収納し、壁パネル単位で二重サッシ間の空気層を通じた通気をする場合に、サッシ枠がプレキャストコンクリート等の中実断面である場合にも、開口部周囲のフレームの見付け面に、空気層を通過させた空気を排出、もしくは還気等するための貫通孔を形成可能にする。【解決手段】壁パネル１の開口部３を互いに異なる立面形状の内側開口部３１と外側開口部３２とにフレーム２の厚さ方向に区分し、内側開口部３１と外側開口部３２にそれぞれ異なる寸法の内側サッシ４と外側サッシ５を収納する。フレーム２を構成する上枠部２１と下枠部２２、及び縦枠部２３、２３の少なくともいずれかの枠部の、室内側を向く室内側見付け面２１ａと室外側を向く室外側見付け面２１ｂの内、見付け幅が大きい見付け面の反対側の、二重サッシ４、５間の空気層６に面する位置に中間部見付け面２１ｃを形成する。【選択図】図１
2014020094.tif 000002
【特許請求の範囲】
【請求項１】
サッシが収納される開口部が厚さ方向に貫通して形成され、前記開口部の周囲にフレームを有する壁パネルであり、
前記開口部は互いに異なる立面形状をする内側開口部と外側開口部とに前記フレームの厚さ方向に区分され、この内側開口部と外側開口部にそれぞれ異なる寸法の内側サッシと外側サッシが収納されていることを特徴とする二重サッシ内蔵壁パネル。
【請求項２】
前記フレームを構成する上枠部と下枠部、及び縦枠部の少なくともいずれかの枠部の、室内側を向く室内側見付け面と室外側を向く室外側見付け面の内、見付け幅が大きい見付け面の反対側の、前記二重サッシ間に形成される空気層に面する位置に中間部見付け面が形成されていることを特徴とする請求項１に記載の二重サッシ内蔵壁パネル。
【請求項３】
前記中間部見付け面とその反対側の、見付け幅が大きい前記室内側見付け面、もしくは前記室外側見付け面との間に、前記枠部を見込み方向に貫通する貫通孔が形成されていることを特徴とする請求項２に記載の二重サッシ内蔵壁パネル。
【請求項４】
前記貫通孔が形成された枠部以外の枠部、もしくはその枠部に保持される少なくともいずれかのサッシの枠、または前記枠部と前記サッシの枠との間の少なくともいずれかに、室内、もしくは室外に連通する通気口が形成されていることを特徴とする請求項３に記載の二重サッシ内蔵壁パネル。
【発明の詳細な説明】
【技術分野】
【０００１】
本発明は面外方向に貫通して形成された開口部に二重サッシを収納した二重サッシ内蔵壁パネルに関するものである。
【背景技術】
【０００２】
例えば屋外に面した外壁の開口部に二重サッシを収納することは、外壁において各サッシ間に形成される空気層の存在による断熱性とそれを利用した換気性能を確保する目的で採用されることが多く（特許文献１、２参照）、サッシ間の空気層に屋内、もしくは屋外の空気を通過させることにより空気層の温度変化（主に温度上昇）とそれに伴う輻射熱を抑え、屋内温度を一定に保持することが期待される。
【０００３】
一方、ユニット化されたカーテンウォールのパネルにおいても、例えば屋外の空気を屋外に面したガラスの屋内側に取り込み、ガラスの屋内側に存在する空間（空気層）を通過させることにより断熱効果と換気効果を得ることがある（特許文献３〜６参照）。
【０００４】
二重サッシを収納する外壁においても、ガラス（障子）を収納するカーテンウォールパネルにおいても、空気層を通過した空気は屋外に排出されるか、屋内に取り込まれて循環させられることになるが、特に空気層を通過した空気を屋内に取り込む場合には、サッシ等を収納したサッシ枠の周辺に排気のためのダクトを接続することが必要になる（特許文献２、４〜６参照）。
【０００５】
サッシ枠の周囲にダクトを接続する場合、ダクトはサッシ枠の内、屋内に面する見付け面とサッシ枠の外周面である見込み面のいずれかに接続されるが、サッシ等を収納するサッシ枠は概して見込み幅が見付け幅より大きい形状をするため、ダクトはサッシ枠の見込み面（外周面）に接続されることが多い（特許文献１、２）。ダクトを見付け面に接続する場合には、サッシ枠はダクトの接続のために特に適した断面形状に形成されることが必要になる（特許文献４）。
【０００６】
二重サッシ間の、もしくはガラス背面側の空気層を通過させられた空気は多くの例のようにサッシ枠の上枠から屋内に還気させられる他（特許文献１、２、５、６）、上枠を通じて屋外に排気させられる（特許文献３、４）。
【先行技術文献】
【特許文献】
【０００７】
【特許文献１】特開平７−２６８４９号公報（請求項２、段落０００７〜００１０、図２）
【特許文献２】特開平７−２７９５５２号公報（請求項１、段落０００６〜０００８、図１、図３）
【特許文献３】特開２００９−２７０２５１号公報（請求項１、段落００１９〜００２０、図２、図４）
【特許文献４】特開２０１２−７３７４号公報（請求項１、段落００２４〜００３５、図２〜図４）
【特許文献５】特開２００１−３６４３号公報（請求項３、段落００２４〜００２９、図１０）
【特許文献６】特開２００２−２２７３２８号公報（請求項１、段落００１３、００１４、図１、図２）
【発明の概要】
【発明が解決しようとする課題】
【０００８】
上記カーテンウォールユニットとして使用される壁パネルの本体（フレーム）が例えばプレキャストコンクリート製等の場合には、コンクリート等自体が脆性材料であることで、フレーム自体は中実断面で形成されるが、その関係でフレームを構成する枠部に薄肉の部分を形成することができないため、開口部に二重サッシを収納し、フレームの例えば上枠部に二重サッシ間の空気層に連通する排気口等としての貫通孔を形成しようとする場合、貫通孔の形成位置を確保することが難しい。
【０００９】
二重サッシの内側サッシと外側サッシは採光の目的から同等の形状と面積を持ち、高さ方向に段差が付いて配置されることはないため、仮にフレームの上枠部に貫通孔を形成することができたとしても、貫通孔は内側サッシと外側サッシ間の空気層に連通するよう、上枠部を見付け方向（パネルの面内方向）に貫通する形で形成されざるを得ない。
【００１０】
従ってその貫通孔にダクトを接続しようとすれば、ダクトをフレームの外周側に配置せざるを得ないため、特許文献２、５、６のようにフレーム外の部位との取り合いを必要とし、ダクトの敷設が各層（各階）単位での工事では済まなくなることもあり、ダクトの敷設工事の複雑化を余儀なくされることになる。
【００１１】
本発明は上記背景より、パネル本体であるフレームがプレキャストコンクリート等の中実断面である場合にも、サッシを収納する開口部の周囲のフレーム（枠部）の見付け面に、空気層を通過させた空気を排出するための排気口、もしくは還気するための還気口を形成可能な形態の二重サッシ内蔵壁パネルを提案するものである。
【課題を解決するための手段】
【００１２】
請求項１に記載の発明の二重サッシ内蔵壁パネルは、サッシが収納される開口部が厚さ方向に貫通して形成され、前記開口部の周囲にフレームを有する壁パネルであり、
前記開口部が互いに異なる立面形状をする内側開口部と外側開口部とに前記フレームの厚さ方向に区分され、この内側開口部と外側開口部にそれぞれ異なる寸法の内側サッシと外側サッシが収納されていることを構成要件とする。
【００１３】
「壁パネル」は壁として使用されるユニット化された版のことであり、主に外壁に使用されるが、耐力壁（耐震壁を含む）か非耐力壁（間仕切り壁）かを問わず、内壁に使用されることもある。外壁に使用される場合には、耐力壁としての外壁に形成された開口部に収納される場合と、カーテンウォールのパネルとして躯体に支持される場合がある。壁パネルが屋内の内壁に使用されることもあることから、壁パネルを挟んだ一方側（内側）と他方側（外側）を室内側と室外側を呼ぶが、内壁に使用される壁パネルを隔てた室の内外は相対的な関係に過ぎず、一方の室の室内側は他方の室の室外側になる。室外は屋外を含む。
【００１４】
「サッシ」はガラス、もしくはそれに類似するアクリル板等の合成樹脂板（以下、ガラス等と言う）とその周囲を保持する框組みからなる障子単体の場合と、障子（ガラス等）を嵌殺し状態に、もしくは開閉自在に収納したサッシ枠を含む場合がある。開口部を除くフレームはプレキャストコンクリート、もしくはコンクリートと同等のモルタル、合成樹脂、あるいはアルミニウム合金等で形成され、材料に応じ、中実断面で、もしくは中空断面で形成される。
【００１５】
「開口部が厚さ方向に貫通」とは、開口部が壁パネルの厚さ方向に貫通していることを言う。壁パネルの厚さ方向とフレームの厚さ方向は同義である。フレームは壁パネルの内、開口部を除いた部分であり、開口部を包囲するように周回し、開口部上下の上枠部と下枠部、及び幅方向両側の縦枠部とに区分される。開口部は壁パネルの厚さ方向には内側サッシが収納される内側開口部と外側サッシが収納される外側開口部とに区分される。
【００１６】
「互いに異なる立面形状をする内側開口部と外側開口部」とは、内側開口部と外側開口部が、それぞれを壁パネルの室内側と室外側から見たときに異なる立面形状をしていることである。「異なる立面形状」とは、例えば内側開口部と外側開口部が方形状をしている場合に、互いに同一（合同）でない方形状をしていることであり、具体的には図１に示すように内側開口部と外側開口部のいずれか一方の高さ寸法（内法）が他方の高さ寸法より小さい（大きい）か、図２に示すようにいずれか一方の幅寸法（内法）が他方の幅寸法より小さい（大きい）ことを言う。但し、内側開口部と外側開口部は共に、必ずしも方形状である必要はない。
【００１７】
「内側開口部と外側開口部にそれぞれ異なる寸法の内側サッシと外側サッシが収納される」とは、内側開口部と外側開口部の内法に対応した寸法の内側サッシと外側サッシがそれぞれに収納されることを言う。内側サッシ４と外側サッシ５はそれぞれ内側開口部３１と外側開口部３２の内周側に、図１、図２における外側サッシ５のように完全に納まる（内付けされる）場合と、内側サッシ４のように壁パネル１の面外方向（見込み方向）に突出して納まる（外付け・半外付けされる）場合がある。内側開口部３１と外側開口部３２のそれぞれに内側サッシ４と外側サッシ５が収納されることで、内側サッシ４の室外側の面と外側サッシ５の室内側の面との間に空気層６が形成される。
【００１８】
図１は外側開口部３２の高さ寸法（内法）が内側開口部３１の高さ寸法（内法）より大きい場合の壁パネル１の形成例を示す。ここに示すように下枠部２２における外側開口部３２の内周面（上向き面：見込み面）と内側開口部３１の内周面（上向き面：見込み面）が同等のレベルに位置し、実質的に揃えられている場合、内側開口部３１と外側開口部３２が互いに異なる立面形状をすることで、開口部３を除いたフレーム２を構成する上枠部２１と下枠部２２、及び縦枠部２３、２３の少なくともいずれかの枠部の室内側を向く室内側見付け面の見付け幅と室外側を向く室外側見付け面の見付け幅を相違させることが可能になる。
【００１９】
図１、図２の例では上枠部２１の室内側見付け面２１ａの見付け幅が室外側見付け面２１ｂの見付け幅より大きく、一方の縦枠部２３の室内側見付け面２３ａの見付け幅が室外側見付け面２３ｂの見付け幅より大きくなっているが、内側開口部３１と外側開口部３２の立面形状と面積に応じ、上枠部２１のみ等、いずれか１本の枠部のみの見付け幅が室内側と室外側とで相違する場合と、いずれか２本以上の枠部の見付け幅が室内側と室外側とで相違する場合がある。
【００２０】
請求項１ではフレーム２を構成する上枠部２１と下枠部２２、及び縦枠部２３、２３の少なくともいずれかの枠部の、室内側見付け面２１ａの見付け幅と室外側見付け面２１ｂの見付け幅を相違させることができる結果、室内側見付け面２１ａと室外側見付け面２１ｂの内、見付け幅が大きい見付け面（室内側見付け面２１ａ）の反対側の、二重サッシ４、５間に形成される空気層６に面する位置に中間部見付け面２１ｃを形成することが可能になる（請求項２）。中間部見付け面２１ｃは上枠部２１と下枠部２２、及び縦枠部２３、２３の少なくともいずれかの枠部の見込み方向中間部に形成される。「見付け面の反対側の面」は枠部での見付け面の反対側に位置する面を指す。
【００２１】
図１の上枠部２１で言えば、室内側見付け面２１ａの見付け幅が室外側見付け面２１ｂの見付け幅より大きいため、室内側見付け面２１ａの反対側に空気層６に面する中間部見付け面２１ｃが形成される。図１の上枠部２１が室内側と室外側を入れ換えた形になった場合には、室外側見付け面２１ｂの見付け幅が室内側見付け面２１ａの見付け幅より大きくなるため、室外側見付け面２１ｂの反対側に空気層６に面する中間部見付け面２１ｃが形成されることになる。
【００２２】
また図２に示す一方の縦枠部２３（室内から室外を見たときの左側の縦枠部２３）に着目すれば、室内側見付け面２３ａの見付け幅が室外側見付け面２３ｂの見付け幅より大きいため、室内側見付け面２３ａの反対側に空気層６に面する中間部見付け面２３ｃが形成される。ここでも縦枠部２３が室内側と室外側を入れ換えた形になった場合には、室外側見付け面２３ｂの見付け幅が室内側見付け面２３ａの見付け幅より大きくなるため、室外側見付け面２３ｂの反対側に空気層６に面する中間部見付け面２３ｃが形成されることになる。
【００２３】
請求項２では枠部の見込み方向中間部の空気層６に面する位置に中間部見付け面２１ｃが形成されることで、中間部見付け面２１ｃとその反対側の、見付け幅が大きい室内側見付け面２１ａ、もしくは室外側見付け面２１ｂとの間に、還気口、もしくは排気口として利用可能な貫通孔２４を形成することが可能になる（請求項３）。貫通孔２４は枠部を見込み方向に貫通して形成される。
【００２４】
図１の例では上枠部２１における外側開口部３２の内周面（下向き面：：見込み面２１ｄ）が内側開口部３１の内周面（下向き面：見込み面２１ｆ）より上に位置し、外側開口部３２の内周面（見込み面２１ｄ）と内側開口部３１の内周面（見込み面２１ｆ）をつなぐ中間部見付け面２１ｃは外側サッシ５の室内側に位置し、室外側を向いた状態で外側サッシ５の室内側に存在する空気層６に面する。この場合の上枠部２１では中間部見付け面２１ｃとその反対側の室内側見付け面２１ａとの間に枠部（上枠部２１）を見込み方向に貫通する貫通孔２４が形成される。図１の上枠部２１が室内側と室外側を入れ換えた形になった場合には、中間部見付け面２１ｃとその反対側の室外側見付け面２１ｂとの間に貫通孔２４が形成される。
【００２５】
図２では前記一方の縦枠部２３における外側開口部３２の内周面（見込み面２３ｄ）が内側開口部３１の内周面（見込み面２３ｆ）より開口部３の中心に対して外周側に位置し、外側開口部３２の内周面（見込み面２３ｄ）と内側開口部３１の内周面（見込み面２３ｆ）をつなぐ中間部見付け面２３ｃは外側サッシ５の室内側に位置し、室外側を向いた状態で外側サッシ５の室内側に存在する空気層６に面する。
【００２６】
この一方の縦枠部２３では中間部見付け面２３ｃとその反対側の室内側見付け面２３ａとの間に二点鎖線で示すように枠部（縦枠部２３）を見込み方向に貫通する貫通孔２４が形成可能になっている。図２の一方の縦枠部２３が室内側と室外側を入れ換えた形になった場合には、中間部見付け面２３ｃとその反対側の室外側見付け面２３ｂとの間に貫通孔２４が形成可能になる。貫通孔２４が形成される枠部は上枠部２１と縦枠部２３には限られず、下枠部２２に形成されることもある。
【００２７】
また図１に示す例の上枠部２１における外側開口部３２の内周面（見込み面２１ｄ）と、図２に示す例の一方の縦枠部２３における外側開口部３２の内周面（見込み面２３ｄ）の、外側サッシ５より室内側に位置する部分（区間）は中間部見付け面２１ｃ、２３ｃに連続することで、二重サッシ４、５間の空気層６に面する状態にあるため、これらの両枠部２１、２３における外側開口部３２の内周面（見込み面２１ｄ、２３ｄ）は空気層６を通過した空気を、外側開口部３２を通じて室外側へ排出するために利用可能となる。
【００２８】
具体的には例えば図１における上枠部２１の室外側の部分と図２における縦枠部２３の室外側の部分に二点鎖線で示すように外側開口部３２の内周面（見込み面２１ｄ、２３ｄ）から、各枠部２１、２３の室外側見付け面２１ｂ、２３ｂとの間に連続する、排気口としての貫通孔２１ｅ、２３ｅを形成することで、空気層６を通過した空気を外側開口部３２の内周面（見込み面２１ｄ、２３ｄ）から室外へ排出することが可能である。外側開口部３２の内周面（見込み面２１ｄ、２３ｄ）を通じた排気の状況は図４−（ｂ）、（ｄ）に示す排気の形態に相当する。
【００２９】
貫通孔２４は枠部（フレーム２）が中実断面の場合、中間部見付け面２１ｃと室内側見付け面２１ａ、もしくは室外側見付け面２１ｂとの間に貫通して形成されればよく、例えばフレーム２を成形するための型枠（堰板）内の貫通孔２４の形成位置に中空断面の、または離脱可能な部材を埋設しておくことで形成される。枠部が中空断面の場合には、中間部見付け面２１ｃと室内側見付け面２１ａ、もしくは室外側見付け面２１ｂへの孔の形成では還気、もしくは排気すべき空気が枠部の内部に漏れるため、枠部の中間部見付け面２１ｃと室内側見付け面２１ａ、もしくは室外側見付け面２１ｂとの間に中空の管を跨設することにより貫通孔２４を枠部の内部に連通させることなく形成することが可能である。
【００３０】
請求項３では見付け幅が大きい室内側見付け面２１ａ、もしくは室外側見付け面２１ｂと空気層６に面する中部見付け面２１ｃとの間に貫通孔２４を形成可能であることで、空気層６を通過した空気を室内側へ取り込むための還気用等のダクト８等をフレーム２のいずれかの枠部の室内側に直接、接続することが可能になる。この結果、ダクト８等とフレーム２（壁パネル１）外の部位との取り合いが不要になるため、ダクト８の敷設を各層（各階）単位で済ませることができ、敷設工事が単純化される。貫通孔２４を還気口として利用する場合、還気口に入り込む空気は一旦、室内に取り込まれた後に、ダクト８を通じて室外（屋外）へ排出されることもあり、その場合には還気口（貫通孔２４）は結果的には排気口になる。
【００３１】
図１における上枠部２１の中間部見付け面２１ｃと外側サッシ５のガラス等、障子５１の室内側の面との間には内側サッシ４との間に存在する空気層６に連続するクリアランスがフレーム２（枠部）の見込み方向（厚さ方向）に形成され、中間部見付け面２１ｃはこのクリアランスに面することで、空気層６に面する状態にある。空気層６は外側サッシ５の障子５１の室内側の面と内側サッシ４のガラス等、障子４１の室外側の面との間に形成され、内側サッシ４と外側サッシ５間の空気層６を通過した空気はクリアランスを経由して上枠部２１の中間部見付け面２１ｃに到達する。
【００３２】
従って図１の例で言えば、上枠部２１において空気層６に面する中間部見付け面２１ｃとその反対側に位置する（反対側の面である）室内側見付け面２１ａとの間に両面間を貫通する貫通孔２４が形成されれば、貫通孔２４は空気層６と室内の双方に連通するため、空気層６を通過した空気を二重サッシの外側である室内側へ、または室内を通じて室外側へ排出することが可能になる。
【００３３】
ここで、図１に示す壁パネル１は外側開口部３２の高さ寸法が内側開口部３１の高さ寸法より大きいことで、上枠部２１は室内側見付け面２１ａの見付け幅が室外側見付け面２１ｂの見付け幅より大きい形状をするため、室内側見付け面２１ａに突き合わせる形でダクト８等を接続するだけで、貫通孔２４にダクト８等を連通させることが可能であり、壁パネル１の範囲外に及ぶことなく、壁パネル１の立面の範囲内にダクト８を配置すればよくなる。図１に示す例の場合、上枠部２１の室内側見付け面２１ａの領域（範囲）内に、具体的には室内側見付け面２１ａの内、室外側見付け面２１ｂの重なり部分を除いた領域（範囲）内に貫通孔２４が形成されるため、室内側見付け面２１ａに直接、上記したダクト８を突き合わせて接続することが可能になっている。
【００３４】
以上のことを整理すれば、請求項１の「内側開口部３１と外側開口部３２が互いに異なる立面形状をすること」の要件から「フレーム２を構成する上枠部２１と下枠部２２、及び縦枠部２３、２３の内、少なくともいずれかの枠部の室内側見付け面２１ａの見付け幅と室外側見付け面２１ｂの見付け幅が相違すること」が言える。この要件から直接的に「室内側見付け面２１ａと室外側見付け面２１ｂの内、見付け幅が大きい見付け面の反対側に、空気層６に面する中間部見付け面２１ｃが形成されること」（請求項２）の要件が導出される。更に「中間部見付け面２１ｃが空気層６に面する状態で形成されること」の要件から「見付け幅の大きい室内側見付け面２１ａ、もしくは室外側見付け面２１ｂとそれに対向する中間部見付け面２１ｃとの間に貫通孔２４が形成可能であること」の要件が導出される（請求項３）。
【００３５】
外側サッシ５と内側サッシ４間の空気層６には例えば図１に示すように下枠部２２と内側サッシ４との間に形成された通気口（通気孔）２５から室内空気（内気）が送り込まれるか、または下枠部２２と外側サッシ５との間に形成される通気口（通気孔）２５から室外空気（外気）が取り込まれる。すなわち、通気口（通気孔）２５は貫通孔２４が形成された枠部（上枠部２１）以外の枠部（下枠部２２、もしくは縦枠部２３）、もしくはその枠部に保持される少なくともいずれかのサッシの枠（サッシ枠４２、５２）、または枠部とサッシの枠（サッシ枠４２、５２）との間の少なくともいずれかに形成され、室内、もしくは室外に連通する（請求項４）。通気口の「口」はフレーム２の枠部、もしくはサッシ枠、框等に穿設される孔と、枠部とサッシ枠間、またはサッシ枠と框間等に確保される空隙等の空間その他、開口全般を含む。
【００３６】
ここで言う「枠部」は壁パネル１のフレーム２を構成する上枠部２１と下枠部２２、及び縦枠部２３、２３の少なくともいずれかの枠部を指し、「サッシの枠」は内側開口部３１に収納される内側サッシ４、もしくは外側開口部３２に収納される外側サッシ５の枠（サッシ枠４２、５２）であり、上枠４２１、５２１、下枠４２２、５２２、縦枠４２３、５２３の少なくともいずれかを指す。室内側の通気口２５は例えば図１に示すようにサッシ枠４２を構成する下枠４２２と内側サッシ４の下框４１２との間に空隙を確保するか、または下枠４２２の、室内に面するいずれかの部分に孔を穿設するか、ガラリを配置する、あるいは無双窓式のスライド自在な板を配置することにより形成される。室外側の通気口２５も同様である。
【００３７】
請求項４では貫通孔２４が上枠部２１と下枠部２２と縦枠部２３のいずれかに形成され、空気層６を通過する空気が、貫通孔２４が形成される枠部以外のいずれかの枠部の通気口２５から取り込まれることで、図４−（ａ）〜（ｄ）に示すように空気の取り込み口（導入口）としての通気口２５と空気層６を通過した空気の排出口、もしくは還気口としての貫通孔２４の組み合わせを複数通りに設定することが可能である。
【００３８】
図４−（ａ）は図１の例と同じく通気口２５を下枠部２２の室内側に形成し、還気口としての貫通孔２４を上枠部２１の室内側に形成した場合、（ｂ）は通気口２５を下枠部２２の室内側に形成し、排出口としての貫通孔２４を上枠部２１の室外側に形成した場合である。（ｃ）は通気口２５を下枠部２２の室外側に形成し、還気口としての貫通孔２４を上枠部２１の室内側に形成した場合、（ｄ）は通気口２５を下枠部２２の室外側に形成し、排出口としての貫通孔２４を上枠部２１の室外側に形成した場合である。
【００３９】
但し、図４の各図に矢印で示すように下枠部２２における通気口２５と、上枠部２１における還気口、もしくは排気口としての貫通孔２４、あるいは貫通孔２１ｅは季節に応じて互いに逆転することもあり、上枠部２１の貫通孔２４、２１ｅが導入口としての通気口になり、下枠部２２の通気口が還気口、もしくは排気口になることもある。その他、例えば通気口２５を上枠部２１、もしくは縦枠部２３に形成し、貫通孔２４、２３ｅを下枠部２２、もしくは縦枠部２３に形成する等、通気口２５と貫通孔２４、２３ｅはそれぞれ下枠部２２と上枠部２１以外にも形成可能であるから、通気口２５と貫通孔２４、２１ｅ、２３ｅ間の、空気層６を通じた通気は図４以外にも複数通りに設定可能である。
【００４０】
請求項１ではまた、内側開口部３１と外側開口部３２が互いに異なる立面形状をすることで、壁パネル１の外形線に対する外側サッシ５の外形線を任意の位置に配置することが可能になっているため、複数枚の壁パネル１が外壁７の構面に添って水平方向と鉛直方向に配列する場合に、図７に示すように各壁パネル１の外形線に対する外側サッシ５の外形線の位置を相違させることで、外壁７のデザインに変化を持たせる効果も得られる。
【００４１】
壁パネル１は図６に示すように外壁７の構面に添った水平方向と鉛直方向にそれぞれ複数枚、配列したときに、統一感のある外壁面を構成する他、図７に示すように壁パネル１内の外側サッシ５が外壁面に無秩序に配列する等、窓の配列に変化を持たせるような外壁面を構成することが可能である。図７は同一形状で、同一寸法のフレーム２の立面形状（外郭形状）に対して異なる立面形状と面積の外側サッシ５を収納し、異なる外観を有する複数枚の壁パネル１を水平方向と鉛直方向に配列させたときの外壁面の構成例を示している。
【００４２】
また例えば図１における上枠部２１の外周面（上端面）と下枠部２２の外周面（下端面）が図４−（ａ）〜（ｄ）に示すように平坦面に形成されているとすれば、壁パネル１（フレーム２）は面外方向（見込み方向）の両表面が室内側と室外側のいずれを向いても使用可能な形状をすることになる。
【００４３】
その場合、前記のように図１において貫通孔２４が形成されている室内側見付け面２１ａを室外側に向け、室外側見付け面２１ｂにしたときには、貫通孔２４は室外に連通するため、壁パネル１の向きを変えるだけで、貫通孔２４を排気口として利用し、空気層６を通過した空気を貫通孔２４を通じて二重サッシの外側である室外側へ排出することが可能になる。
【００４４】
このようにフレーム２の外周面が平坦面に形成される等、壁パネル１自身が室内側と室外側の向き（違い）を持たない場合には、同一の壁パネル１における枠部の貫通孔２４を還気用にも排気用にも使用でき、壁パネル１が室内側と室外側を単純に入れ換えて使用することに対応可能であるため、単一の壁パネル１を２通りの用途に兼用することが可能になる。
【００４５】
図１に示す壁パネル１の室内側と室外側を単純に入れ換えた状態を想定すれば、上枠部２１の室外側（室外側見付け面２１ｂ）の見付け幅が大きくなるため、その室外側見付け面２１ｂの内、室内側見付け面２１ａの重なり部分を除いた領域（範囲）内に、上枠部２１を厚さ方向に貫通する貫通孔２４を形成することが可能である。このときの貫通孔２４は図１に示す壁パネル１における貫通孔２４と違いはないため、図１に示す壁パネル１の室内側と室外側を入れ換えるだけで、貫通孔２４を排気口として利用可能になる。
【００４６】
このように同一形態（形状）で、同一寸法の壁パネル１でありながら、室内側の面と室外側の面を入れ換えるだけで、上枠部２１等の見付け幅が大きい見付け面を室内側に向けたときに、貫通孔２４が形成された見付け面（室内側見付け面２１ａ）に還気用のダクト８を接続することができる。一方、上枠部２１等の見付け幅が大きい側を室外側に向けたときの室外側見付け面２１ｂとなる同一の見付け面に排気口（貫通孔２４）が形成されるため、１種類の壁パネル１の使用により還気と排気の２通りの設計に対応することが可能になる。室内側を向いたときの見付け面にダクト８が接続され、室外側を向いたときに排気口として利用される貫通孔２４の形成位置は上枠部２１には限らず、下枠部２２になることもあれば、縦枠部２３になることもある。
【発明の効果】
【００４７】
開口部が内側開口部と外側開口部に壁パネルの厚さ方向に区分され、内側開口部と外側開口部が互いに異なる立面形状をすることで、開口部を除いたフレームを構成する上枠部と下枠部、及び縦枠部の少なくともいずれかの枠部の室内側を向く室内側見付け面の見付け幅と室外側を向く室外側見付け面の見付け幅を相違させることができる。この結果、いずれかの枠部の見付け幅が大きい室内側見付け面と、空気層に面する中間部見付け面との間に枠部を厚さ方向に貫通する貫通孔を形成することができる。
【００４８】
空気層に面する中間部見付け面と室内側見付け面との間に貫通孔が形成可能であることで、室内側見付け面に直接、還気のためのダクト等を接続することができるため、壁パネルの立面の範囲内にダクト等を配置すればよく、ダクト等と壁パネル外の部位との取り合いが不要になる。この結果、ダクトの敷設を各層（各階）単位で済ませることができ、工事が単純化される。
【図面の簡単な説明】
【００４９】
【図１】外側開口部の高さ寸法が内側開口部の高さ寸法より大きく、上枠部の室内側見付け面の見付け幅が室外側見付け面の見付け幅より大きい壁パネルの製作例を示した縦断面図であり、図３の拡大図である。
【図２】外側開口部の幅寸法が内側開口部の幅寸法より大きく、一方の縦枠部の室内側見付け面の見付け幅が室外側見付け面の見付け幅より大きい壁パネルの製作例を示した横断面図であり、図１の横断面図である。
【図３】図１、図２に示す壁パネルをカーテンウォールのパネルとして外壁に設置した様子を示した縦断面図である。
【図４】（ａ）〜（ｄ）は外壁に設置された壁パネルの下枠部に通気口を形成し、上枠部に還気口、もしくは排出口を形成した場合の空気の流れの形態を示した縦断面図である。
【図５】壁パネルの組み立ての様子を示した斜視図である。
【図６】図１、図２に示す壁パネルを外壁の構面に添い、水平方向と鉛直方向にそれぞれ複数枚、配列させたときの外壁面を示した斜視図である。
【図７】同一形状、同一寸法の壁パネルのフレーム内に、壁パネル毎に異なる立面形状の外側サッシを収納した複数枚の壁パネルを水平方向と鉛直方向に配列させたときの外壁面を示した立面図である。
【発明を実施するための形態】
【００５０】
以下、図面を用いて本発明を実施するための最良の形態を説明する。
【００５１】
図１、図２はサッシが収納される開口部３が厚さ方向に貫通して形成され、開口部３の周囲にフレーム２を有する二重サッシ内蔵壁パネル（以下、壁パネル）１の製作例と外壁７への設置例を示す。開口部３は図５に示すようにフレーム２の厚さ方向に、互いに異なる立面形状をする内側開口部３１と外側開口部３２とに区分され、内側開口部３１と外側開口部３２にそれぞれ異なる寸法の内側サッシ４と外側サッシ５が収納される。図５は図１、図２に示す壁パネル１の構成要素であるフレーム２と、その内側開口部３１と外側開口部３２に納まる内側サッシ４及び外側サッシ５との関係を示している。
【００５２】
図１は図３に示す外壁７の一部を示し、図２は図１のｘ−ｘ線の断面を示している。図１〜図３は壁パネル１が構造物の梁、スラブ等の躯体に支持されるユニット式カーテンウォールのパネルの例を示しているが、壁パネル１は躯体としての外壁７の開口部に収納される場合と、屋内の壁に組み込まれる場合がある。図１〜図３はまた、サッシ（内側サッシ４と外側サッシ５）を除くフレーム２が中実断面のプレキャストコンクリート（モルタルを含む）製である場合の例であるが、フレーム２の材料は問われず、中実断面か否かも問われない。
【００５３】
図面では内側サッシ４が２枚の障子４１を内開き式にサッシ枠４２に収納したサッシで、外側サッシ５が１枚の障子５１（ガラス）を嵌殺し状態にサッシ枠５２に収納したサッシである場合の例を示しているが、内側開口部３１と外側開口部３２に収納される内側サッシ４と外側サッシ５の形態、すなわち固定状態に収納されるか、開閉自在に収納されるかも問われない。
【００５４】
内側開口部３１と外側開口部３２は共に、フレーム２を構成する上枠部２１と下枠部２２、及び縦枠部２３、２３の各内周面が周回することにより形成され、各枠部の内周面が区画する内側開口部３１の立面形状と外側開口部３２の立面形状が図５に示すように相違する。
【００５５】
図１、図２の例では下枠部２２における内側開口部３１の内周面（上向き面：見込み面）と外側開口部３２の内周面（上向き面：見込み面）がほぼ揃えられ、上枠部２１における内側開口部３１の内周面（下向き面：見込み面２１ｆ）と外側開口部３２の内周面（下向き面：見込み面２１ｄ）との間に段差が形成され、この段差の存在によって上枠部２１の内側開口部３１の内周面（見込み面２１ｆ）と外側開口部３２の内周面（見込み面２１ｄ）との間に後述の中間部見付け面２１ｃが形成される。
【００５６】
図１、図２ではまた、一方（室内から室外を見たときの右側）の縦枠部２３における内側開口部３１の内周面（見込み面）と外側開口部３２の内周面（見込み面）がほぼ揃えられ、他方の縦枠部２３における内側開口部３１の内周面（見込み面２３ｆ）と外側開口部３２の内周面（見込み面２３ｄ）との間に段差が形成され、段差によって内側開口部３１の内周面と外側開口部３２の内周面との間に中間部見付け面２３ｃが形成されている。
【００５７】
但し、少なくともいずれかの枠部における内側開口部３１と外側開口部３２の各内周面間に段差が形成されていれば、内側開口部３１と外側開口部３２が互いに異なる立面形状をすることになるため、その他の枠部における内側開口部３１と外側開口部３２の各内周面が揃えられるか、段差が形成されるかは任意である。
【００５８】
フレーム２は開口部３の上側に位置する上枠部２１と、下側に位置する下枠部２２、及び幅方向両側に位置する縦枠部２３、２３に区分される。これらフレーム２を構成する上枠部２１と下枠部２２、及び縦枠部２３、２３の内、室内側を向く室内側見付け面２１ａの見付け幅と室外側を向く室外側見付け面２１ｂの見付け幅が相違する、少なくともいずれかの枠部の見込み方向中間部に、二重サッシ間に形成される空気層６に面する中間部見付け面２１ｃが形成される。
【００５９】
「室内側を向く室内側見付け面の見付け幅と室外側を向く室外側見付け面の見付け幅が相違するいずれかの枠部」は図１、図２の例では上枠部２１と一方の縦枠部２３であるが、下枠部２２の場合もあれば、全枠部の場合もある。室内側見付け面２１ａと室外側見付け面２１ｂ、及び中間部見付け面２１ｃは必ずしも平坦面である必要はない。
【００６０】
中間部見付け面２１ｃは前記のように室内側見付け面２１ａの見付け幅と室外側見付け面２１ｂの見付け幅が相違する枠部における内側開口部３１の内周面（見込み面２１ｆ）と外側開口部３２の内周面（見込み面２１ｄ）との間の段差によって形成される。図１、図２の例では上枠部２１における内側開口部３１の内周面（見込み面２１ｆ）と外側開口部３２の内周面（見込み面２１ｄ）との間に形成された段差によって内側開口部３１の内周面と外側開口部３２の内周面をつなぐ中間部見付け面２１ｃが形成される。図１、図２では上枠部２１における内側開口部３１の内周面（見込み面２１ｆ）が外側開口部３２の内周面（見込み面２１ｄ）より下に位置するため、中間部見付け面２１ｃは室外側を向いているが、上枠部２１における内側開口部３１の内周面（見込み面２１ｆ）が外側開口部３２の内周面（見込み面２１ｄ）より上に位置する場合には、中間部見付け面２１ｃは室内側を向く。
【００６１】
フレーム２を構成する各枠部２１、２２、２３における内側開口部３１の内周面と、外側開口部３２の内周面にはそれぞれ内側サッシ４のサッシ枠４２と、外側サッシ５のサッシ枠５２が配置され、サッシ枠４２、５２はそれぞれの定着部（アンカー）によって各枠部２１、２２、２３内に定着される。内側開口部３１の内周面と外側開口部３２の内周面の形状は各サッシ枠４２、５２内に収納される障子の形態に応じて決まり、図示するように段差が付く場合と平坦面に形成される場合がある。
【００６２】
以下では図１、図２の例に基づき、「室内側見付け面の見付け幅と室外側見付け面の見付け幅が相違する枠部」を上枠部２１に代表させて説明する。図１の例では中間部見付け面２１ｃは室外側（外側サッシ５側）を向いているが、前記のように内側開口部３１の内周面が外側開口部３２の内周面より上に位置する場合、あるいは壁パネル１が図１の室内側と室外側を入れ換えた形をした場合には、中間部見付け面２１ｃは室内側（内側サッシ４側）を向くことになる。
【００６３】
室内側見付け面２１ａの見付け幅と室外側見付け面２１ｂの見付け幅が相違する枠部（上枠部２１）の空気層６に面する中間部見付け面２１ｃと、その枠部（上枠部２１）の室内側見付け面２１ａ、もしくは室外側見付け面２１ｂとの間には貫通孔２４が貫通して形成される。室内側見付け面の見付け幅と室外側見付け面の見付け幅が相違する枠部は下枠部２２、もしくは縦枠部２３であることもあり、全枠部であることもある。
【００６４】
図示する例では上枠部２１と一方の縦枠部２３が「室内側見付け面の見付け幅と室外側見付け面の見付け幅が相違する枠部」に該当する。図面では上枠部２１にのみ、貫通孔２４を形成しているが、図２において一方の縦枠部２３の室内側見付け面２３ａと中間部見付け面２３ｃとの間にも貫通孔２４が形成されることがある。中間部見付け面２１ｃ、２３ｃが室内側を向く場合には、貫通孔２４は中間部見付け面２１ｃ、２３ｃと、室外側見付け面２１ｂ、２３ｂとの間に形成されることになる。
【００６５】
空気層６を通過して貫通孔２４から壁パネル１の外部に排出される空気は、貫通孔２４が形成された枠部（上枠部２１）以外の枠部（下枠部２２、縦枠部２３）、もしくはその枠部（下枠部２２、縦枠部２３）に保持される少なくともいずれかのサッシの枠であるサッシ枠４２、５２、または前記枠部（下枠部２２、縦枠部２３）とサッシの枠（サッシ枠４２、５２）との間の少なくともいずれかに形成され、室内、もしくは室外に連通する通気口２５から壁パネル１の内部に取り込まれ、空気層６に送り込まれる。
【００６６】
図１、図２の例では内側サッシ４の、上枠４２１と下枠４２２、及び縦枠４２３、４２３からなるサッシ枠４２をフレーム２の内側開口部３１に固定し、各縦枠４２３に１枚の障子４１をそれぞれヒンジ４３を介して内開き式に支持させ、下枠４２２と障子４１の下框４１２との間に、常に開放する空隙（空間）を確保することによりこの空隙を通気口２５として利用している。図１、図２では障子４１の上框４１１と上枠４２１との間、及び縦框４１３と縦枠４２３との間も空隙が形成されるが、各空隙から取り込まれた室内空気はダクト９の先に接続されたファンによる強制吸気により貫通孔２４側へ移動しようとするため、空気層６の下端（下枠部２２）側には下枠４２２と下框４１２との間の空隙（通気口２５）から取り込まれることになる。
【００６７】
図１、図２ではまた、外側サッシ５の、上枠５２１と下枠５２２、及び縦枠５２３、５２３からなるサッシ枠５２をフレーム２の外側開口部３２に固定し、サッシ枠５２内に障子５１としてのガラスを嵌殺し状態で収納している。この場合、ガラスが直接、サッシ枠５２内に飲み込まれるため、上枠５２１と下枠５２２、及び縦枠５２３、５２３は障子５１の一部としての框が一体化した形状をしている。上枠５２１と下枠５２２、及び縦枠５２３、５２３の内のいずれか一部の枠（上枠５２１と縦枠５２３）にはガラスの収納と取り外しを可能にするための押縁５２４が着脱自在に接続される。
【００６８】
図１、図２では外側サッシ５のサッシ枠５２を框が一体化した形状の上枠５２１と下枠５２２、及び縦枠５２３、５２３から構成しているが、例えば上枠５２１の一部の空気層６に面する片（見込み片）と室外に面する片（見付け片）に両者間に連通する孔（開口）を形成し、図４−（ｂ）、（ｄ）に示すようにこの孔を排気口として利用することも可能である。その場合、排気口に強制排気のためのファンを配置することが難しいため、排気は自然に行われることになる。同様に下枠５２２、もしくは縦枠５２３の一部の空気層６に面する片（見込み片）と室外に面する片（見付け片）に両者間に連通する孔（開口）を形成し、図４−（ｃ）、（ｄ）に示すようにこの孔を通気口（排気口）２５として利用することも可能である。
【００６９】
図１の例では貫通孔２４は中間部見付け面２１ｃと、上枠部２１の室内側見付け面２１ａとの間に形成されていることで、壁パネル１の外部としては室内側見付け面２１ａにおいて室内に面するため、貫通孔２４は空気層６を通過した空気を室内に還気するための還気口になる。貫通孔２４を還気口として使用する場合には、上枠部２１の室内側見付け面２１ａに還気用のダクト８、もしくはチャンバー９が接続される。図１では室内側見付け面２１ａに、同一高さに配列する複数枚の壁パネル１の貫通孔２４からの空気を取り込むためのチャンバー９を接続し、チャンバー９にダクト８を接続している。ダクト８には強制的な吸気のためのファンが接続されることもあるが、ファンを使用することなく、空気層６での対流により自然に空気を循環させることもある。
【００７０】
図１に示す断面形状の上枠部２１においては、中間部見付け面２１ｃに連続し、空気層６に面する外側開口部３２の内周面（見込み面２１ｄ）が形成されているため、見込み面２１ｄと室外側見付け面２１ｂとの間を貫通する貫通孔２１ｅを形成することで、その貫通孔２１ｅを上枠部２１における空気層６と室外が連通する排気口として利用することができる。
【００７１】
同様に、図２に示す一方の断面形状の縦枠部２３においては、中間部見付け面２３ｃに連続し、空気層６に面する外側開口部３２の内周面（見込み面２３ｄ）が形成されているため、見込み面２３ｄと室外側見付け面２３ｂとの間を貫通する貫通孔２３ｅを形成することで、縦枠部２３に空気層６と室外が連通する排気口を形成することが可能である。
【００７２】
また図１に示す例では、貫通孔２４が上枠部２１の中間部見付け面２１ｃと室内側見付け面２１ａとの間に形成されているが、フレーム２が室内側と室外側の向きを入れ換えて使用されれば、貫通孔２４は上枠部２１の中間部見付け面２１ｃと室外側見付け面２１ｂとの間に形成されることになる。フレーム２が図１の状態にあるとき、貫通孔２４は壁パネル１の外部としては室内側見付け面２１ａにおいて室内に面するため、貫通孔２４は空気層６を通過した空気を室内に還気するための還気口になる。図１の状態の室内側と室外側を入れ換えてフレーム１を使用したときには、貫通孔２４は空気層６を通過した空気を室外に排出するための排気口になる。
【００７３】
図４−（ａ）〜（ｄ）は壁パネル１に形成した通気口２５と貫通孔２４、２１ｅとの間における吸気と排気（還気）の形態（パターン）例を示す。（ａ）は図１に示した空気の流れと同じく、フレーム２の下枠部２２と内側サッシ４の下框４１２との間に形成した通気口２５から室内空気を空気層６に取り込み、フレーム２の上枠部２１に形成した貫通孔２４から還気（排気）する場合、（ｂ）は下枠部２２と下框４１２との間の通気口２５から室内空気を空気層６に取り込み、上枠部２１に形成した排気口（貫通孔２１ｅ）、もしくは上枠部２１と外側サッシ５の上框５１１との間に形成した上記排気口から室外へ排気する場合である。
【００７４】
図４−（ｃ）はフレーム２の下枠部２２に形成した通気口２５としての孔（開口）から室外空気を空気層６に取り込み、フレーム２の上枠部２１に形成した貫通孔２４から還気（排気）する場合、（ｄ）はフレーム２の下枠部２２の通気口２５から室外空気を空気層６に取り込み、フレーム２の上枠部２１に形成した排気口（貫通孔２１ｅ）、もしくは上枠部２１と外側サッシ５の上框５１１との間に形成した上記排気口から排気する場合である。なお、（ａ）〜（ｄ）のいずれの場合も、矢印で示すように空気の流れ、すなわち空気の取り込みと排気の位置が逆になることもある。
【００７５】
図５は前記のように図１、図２に示す壁パネル１のフレーム２における内側開口部３１と外側開口部３２と、それぞれの内周面の形状に対応した形状の内側サッシ４及び外側サッシ５との関係を示している。ここに示すように図１、図２の例ではフレーム２の内側開口部３１と外側開口部３２の下枠部２２と一方の縦枠部２３における内周面は揃えられ、上枠部２１と他方の縦枠部２３における内周面に段差が形成されている。
【００７６】
図６は図１、図２に示す同一の壁パネル１を建物の梁、もしくはスラブ等に支持させながら、水平方向と鉛直方向に配列させた外壁の外観を示す。同一の壁パネル１はフレーム２の開口部３に対する外側開口部３２（外側サッシ５）の配置と寸法が同一であることを言う。図６に示す壁パネル１の配列例では各壁パネル２のフレーム２に対する外側サッシ５の寸法と位置が統一されているため、同一の壁パネル１が整然と配列している外観になる。
【００７７】
図７はフレーム２の開口部３に対する外側開口部３２（外側サッシ５）の配置と寸法が壁パネル１毎に異なり、異なる外観を有する複数枚の壁パネル１を建物の梁、もしくはスラブ等に支持させながら、水平方向と鉛直方向に配列させた外壁の外観を示す。この場合、各壁パネル２のフレーム２に対する外側サッシ５の寸法と位置が統一されていないため、外側サッシ５、あるいはフレーム２の開口部３が不規則に配列している外観になる。
【符号の説明】
【００７８】
１……二重サッシ内蔵壁パネル、２……フレーム、
２１……上枠部、２１ａ……室内側見付け面、２１ｂ……室外側見付け面、２１ｃ……中間部見付け面、２１ｄ……見込み面、２１ｅ……貫通孔、２１ｆ……見込み面、
２２……下枠部、
２３……縦枠部、２３ａ……室内側見付け面、２３ｂ……室外側見付け面、２３ｃ……中間部見付け面、２３ｄ……見込み面、２３ｅ……貫通孔、２３ｆ……見込み面、
２４……貫通孔、２５……通気口、
３……開口部、
３１……内側開口部、３２……外側開口部、
４……内側サッシ、
４１……障子、
４１１……上框、４１２……下框、４１３……縦框、
４２……サッシ枠、
４２１……上枠、４２２……下枠、４２３……縦枠、４３……ヒンジ、
５……外側サッシ、
５１……障子、
５２……サッシ枠、
５２１……上枠、５２２……下枠、５２３……縦枠、５２４……押縁、
６……空気層、
７……外壁、
８……ダクト、９……チャンバー。
【図１】
2014020094.tif 000003
【図２】
2014020094.tif 000004
【図３】
2014020094.tif 000005
【図４】
2014020094.tif 000006
【図５】
2014020094.tif 000007
【図６】
2014020094.tif 000008
【図７】
2014020094.tif 000009